(57)【要約】【課題】レバーを後付けすることで、端子の挿入作業とカバーの組付け性を向上させることができるレバー式コネクタを提供する。【解決手段】カムボス１３を有した相手側ハウジング１１と、この相手側ハウジング１１に嵌合・離脱されるハウジング２０と、このハウジング２０にレバーボス３４を介して回動自在に支持され、操作部３１を回動操作することで両ハウジング１１，２０を嵌合させるレバー３０と、ハウジング２０の後部に装着され、ハウジング２０の後部から引き出された複数の電線を保護する電線カバー４０と、を備えたレバー式コネクタ１０であって、ハウジング２０は、電線カバー４０を組み付ける組付部２８と、レバーボス３４を回動自在に支持するボス穴と、を有している。【選択図】図５
2020194649.tif 000002
【特許請求の範囲】
【請求項１】
カムボスを有した相手側ハウジングと、
前記相手側ハウジングに嵌合・離脱されるハウジングと、
前記ハウジングにレバーボスを介して回動自在に支持され、前記カムボスと係合するカム溝を有して、操作部を回動操作することで前記カム溝と前記カムボスとの係合によって前記相手側ハウジングを前記ハウジング側へ引き寄せて嵌合させるレバーと、
前記ハウジングの後部に装着され、該ハウジングの後部から引き出された複数の電線を保護する電線カバーと、
を備えたレバー式コネクタであって、
前記ハウジングは、前記電線カバーを組み付ける組付部と、前記レバーボスを回動自在に支持するボス穴と、を有していることを特徴とするレバー式コネクタ。
【請求項２】
請求項１記載のレバー式コネクタであって、
前記電線カバーは、前記レバーボスを前記ボス穴まで案内するガイドリブを有していることを特徴とするレバー式コネクタ。
【請求項３】
カムボスを有した相手側ハウジングと、
電線が接続された複数の端子を収容する端子収容室を有し、前記相手側ハウジングに嵌合・離脱されるハウジングと、
前記ハウジングにレバーボスを介して回動自在に支持され、前記カムボスと係合するカム溝を有して、操作部を回動操作することで前記カム溝と前記カムボスとの係合によって前記相手側ハウジングを前記ハウジング側へ引き寄せて嵌合させるレバーと、
前記ハウジングの後部に装着され、該ハウジングの後部から引き出された複数の前記電線を保護する電線カバーと、
を備えたレバー式コネクタの組み付け方法であって、
前記ハウジングの端子収容室に前記端子を挿入する端子挿入工程と、
前記端子収容室に前記端子が挿入された前記ハウジングに前記電線カバーを組み付けるカバー組付工程と、
前記ハウジングの前記ボス穴に前記レバーボスを嵌め込んで、前記ハウジングに前記レバーを組み付けるレバー組付工程と、を順に有することを特徴とするレバー式コネクタの組み付け方法。
【発明の詳細な説明】
【技術分野】
【０００１】
本発明は、レバーの操作により雄雌両ハウジングが低挿入力で嵌合・離脱されるレバー式コネクタ及びレバー式コネクタの組み付け方法に関する。
【背景技術】
【０００２】
この種のレバー式コネクタとして、例えば、特許文献１に開示されたものがある。このレバー式コネクタ１は、図１６に示すように、図示しない相手側の雄ハウジングと、この雄ハウジングに嵌合・離脱される雌ハウジング２と、この雌ハウジング２にレバー支持ボス部３を介して回動自在に支持され、操作部５ａを回動操作することで、雄ハウジングに対して雌ハウジング２を低挿入力で嵌合させるレバー５と、雌ハウジング２の後端に取り付けられるカバー６と、を備えている。尚、雌ハウジング２には、電線８が接続された端子７を収容する複数の端子収容室４が設けられている。
【０００３】
そして、レバー式コネクタ１の組立て手順は、まず、雌ハウジング２の後方から端子収容室４内に電線８が接続された端子７を挿入し、次に、雌ハウジング２の後方からレバー５の組付けを行い、最後に雌ハウジング２の後端にカバー６を組付ける。
【先行技術文献】
【特許文献】
【０００４】
【特許文献１】特開２０１３−６２０７８号公報
【発明の概要】
【発明が解決しようとする課題】
【０００５】
しかしながら、前記従来のレバー式コネクタ１では、雌ハウジング２にレバー５が先に組付けられているため、雌ハウジング２の後端にカバー６を組付ける際に、カバー６の取付け作業にやり難さがあった。
【０００６】
そこで、本発明は、前記した課題を解決すべくなされたものであり、レバーを後付けすることで、端子の挿入作業とカバーの組付け性を向上させることができるレバー式コネクタ及びレバー式コネクタの組み付け方法を提供することを目的とする。
【課題を解決するための手段】
【０００７】
本発明は、カムボスを有した相手側ハウジングと、前記相手側ハウジングに嵌合・離脱されるハウジングと、前記ハウジングにレバーボスを介して回動自在に支持され、前記カムボスと係合するカム溝を有して、操作部を回動操作することで前記カム溝と前記カムボスとの係合によって前記相手側ハウジングを前記ハウジング側へ引き寄せて嵌合させるレバーと、前記ハウジングの後部に装着され、該ハウジングの後部から引き出された複数の電線を保護する電線カバーと、を備えたレバー式コネクタであって、前記ハウジングは、前記電線カバーを組み付ける組付部と、前記レバーボスを回動自在に支持するボス穴と、を有していることを特徴とする。
【０００８】
また、本発明は、カムボスを有した相手側ハウジングと、電線が接続された複数の端子を収容する端子収容室を有し、前記相手側ハウジングに嵌合・離脱されるハウジングと、前記ハウジングにレバーボスを介して回動自在に支持され、前記カムボスと係合するカム溝を有して、操作部を回動操作することで前記カム溝と前記カムボスとの係合によって前記相手側ハウジングを前記ハウジング側へ引き寄せて嵌合させるレバーと、  前記ハウジングの後部に装着され、該ハウジングの後部から引き出された複数の前記電線を保護する電線カバーと、を備えたレバー式コネクタの組み付け方法であって、前記ハウジングの端子収容室に前記端子を挿入する端子挿入工程と、前記端子収容室に前記端子が挿入された前記ハウジングに前記電線カバーを組み付けるカバー組付工程と、前記ハウジングの前記ボス穴に前記レバーボスを嵌め込んで、前記ハウジングに前記レバーを組み付けるレバー組付工程と、を順に有することを特徴とする。
【発明の効果】
【０００９】
本発明によれば、ハウジングにレバーを最後に組付けることで、端子の挿入作業とカバーの組付け性を向上させることができ、作業効率を上げることができる。
【図面の簡単な説明】
【００１０】
【図１】本発明の第１実施形態のレバー式コネクタの雌ハウジングに電線カバーとレバーを組み付けた状態を示す斜視図である。
【図２】上記雌ハウジングに電線カバーを組み付ける前の状態を示す斜視図である。
【図３】上記雌ハウジングに電線カバーを組み付けた状態を示す斜視図である。
【図４】上記雌ハウジングにレバーを組み付ける前の状態を示す斜視図である。
【図５】上記レバー式コネクタの嵌合前の状態を示す側面図である。
【図６】図５中Ｘ−Ｘ線に沿う断面図である。
【図７】上記レバーの仮係止ロック解除時の状態の図５中Ｘ−Ｘ線に沿う断面図に相当する断面図である。
【図８】上記レバーの仮係止ロック部を雌ハウジングのロック収納部に落とし込んだ状態の図５中Ｘ−Ｘ線に沿う断面図に相当する断面図である。
【図９】上記レバー式コネクタの嵌合状態を示す側面図である。
【図１０】本発明の第２実施形態のレバー式コネクタの雌ハウジングに電線カバーとレバーを組み付けた状態を示す斜視図図である。
【図１１】上記第２実施形態の雌ハウジングに電線カバーを組み付ける前の状態を示す斜視図である。
【図１２】上記第２実施形態の雌ハウジングに電線カバーを組み付けた状態を示す斜視図である。
【図１３】上記第２実施形態の雌ハウジングにレバーを組み付ける前の状態を示す斜視図である。
【図１４】上記第２実施形態のレバー式コネクタの嵌合前の状態を示す側面図である。
【図１５】上記第２実施形態のレバー式コネクタの嵌合状態を示す側面図である。
【図１６】従来のレバー式コネクタの分解斜視図である。
【発明を実施するための形態】
【００１１】
以下、本発明の実施形態を図面に基づいて説明する。
【００１２】
図１は本発明の第１実施形態のレバー式コネクタの雌ハウジングに電線カバーとレバーを組み付けた状態を示す斜視図、図２は雌ハウジングに電線カバーを組み付ける前の状態を示す斜視図、図３は雌ハウジングに電線カバーを組み付けた状態を示す斜視図、図４は雌ハウジングにレバーを組み付ける前の状態を示す斜視図、図５はレバー式コネクタの嵌合前の状態を示す側面図、図６は図５中Ｘ−Ｘ線に沿う断面図、図７はレバーの仮係止ロック解除時の状態の図５中Ｘ−Ｘ線に沿う断面図に相当する断面図、図８はレバーの仮係止ロック部を雌ハウジングのロック収納部に落とし込んだ状態の図５中Ｘ−Ｘ線に沿う断面図に相当する断面図、図９はレバー式コネクタの嵌合状態を示す側面図である。
【００１３】
図５、図９に示すように、レバー式コネクタ１０は、カムボス１３を有した合成樹脂製の雄ハウジング（相手側ハウジング）１１と、この雄ハウジング１１に嵌合・離脱される合成樹脂製の雌ハウジング（ハウジング）２０と、この雌ハウジング２０に設けられたボス穴２４にレバーボス３４を介して回動自在に支持され、カムボス１３と係合するカム溝３５を有して、操作部３１を回動操作することで、カム溝３５とカムボス１３との係合によって雄ハウジング１１を雌ハウジング２０側へ引き寄せて雄雌両ハウジング１１，２０を嵌合させる合成樹脂製のレバー３０と、雌ハウジング２０の後部の組付部２８に装着され、雌ハウジング２０の後部から引き出された複数の電線５１を保護する合成樹脂製の電線カバー４０と、を備えている。
【００１４】
図５に示すように、雄ハウジング１１は、前側に雌ハウジング２０の外套部２２内に挿入されるフード部１２を有している。また、雄ハウジング１１の両側面１１ａ，１１ａの前側の中央には、円柱状のカムボス１３がそれぞれ一体突出形成されている。さらに、雄ハウジング１１の両側面１１ａ，１１ａには、カムボス１３を挟むように一対のレバー仮係止解除リブ１４，１４が一体突出形成されている。この各レバー仮係止解除リブ１４の先端１４ａ側が、後述するレバー３０の一対のアーム部３２，３２の各仮係止ロック部３６と雌ハウジング２０の一対の仮係止部２６，２６との仮係止状態を解除する解除部になっている。尚、雄ハウジング１１のフード部１２内には、図示しない雄端子（端子）のタブ部が露出している。
【００１５】
図２〜図４に示すように、雌ハウジング２０は、電線５１が接続された雌端子（端子）５０を収容する複数の端子収容室２１ａを有したブロック状のハウジング本体２１と、このハウジング本体２１の中央の外側に一体突出形成され、内部に雄ハウジング１１のフード部１２が嵌め込まれる外套部２２と、ハウジング本体２１の後部に一体形成された四角筒状の筒体部２３と、を有している。
【００１６】
雌ハウジング２０の外套部２２の両側面２２ａ，２２ａの中央の筒体部２３側には、レバー３０のレバーボス３４を回動自在に支持するボス穴２４がそれぞれ形成されている。また、外套部２２の両側面２２ａ，２２ａの前側中央には、矩形の切欠き２５をそれぞれ形成してあり、この各矩形の切欠き２５の両側には、レバー３０の仮係止ロック部３６を仮係止するリブ状の仮係止部２６を一体突出形成してある。この各仮係止部２６の外側には、各仮係止部２６との仮係止状態が解除されたレバー３０の仮係止ロック部３６を収納する凹状のロック収納部（収納部）２７を形成してある。さらに、雌ハウジング２０の筒体部２３の両側面の後端側には、電線カバー４０を組み付けるための一対の組付部２８，２８をそれぞれ形成してある。この各組付部２８は、筒体部２３の両側面の後端側に一体形成された一対の突起片部２８ａ，２８ａと、一対の起立片部２８ｂ，２８ｂと、を有している。
【００１７】
図４に示すように、レバー３０は、操作部３１と、この操作部３１の両側から延びて雌ハウジング２０の両側面に配置される一対のアーム部３２，３２と、を備えている。
【００１８】
図４に示すように、レバー３０の操作部３１の中央には、レバー３０の回動完了時（雄雌両ハウジング１１，２０の嵌合時）にレバー３０を回動規制状態に保持するレバーロック部３３が設けられている。このレバーロック部３３は、操作部３１の下側（電線カバー４０側）に設けられている。そして、図９に示すように、レバー３０の操作部３１のコネクタ嵌合完了位置（レバー往動操作完了位置）にて、レバーロック部３３が後述する電線カバー４０のカバーロック部４８に係止されるようになっている。
【００１９】
また、図４に示すように、レバー３０の各アーム部３２には、雌ハウジング２０の両側面に形成したボス穴２４に回動自在に支持されるレバーボス３４を突設してある。さらに、各アーム部３２には、雄ハウジング１１に形成されたカムボス１３に係合されるカム溝３５を形成してある。そして、レバー３０の操作部３１の往動操作によってカム溝３５とカムボス１３を介して雄、雌ハウジング１１，２０が低挿入力で嵌合されるようになっている。尚、レバー３０の操作部３１の復動操作によって雄、雌ハウジング１１，２０が低挿入力で離脱されるようになっている。
【００２０】
さらに、図４に示すように、レバー３０の各アーム部３２のカム溝３５の入口３５ａ寄りの位置には、仮係止ロック部３６を切り欠き形成してある。この仮係止ロック部３６は、弾性変形するロックアーム３６ａと、このロックアーム３６ａに一体形成され、雌ハウジング２０のリブ状の仮係止部２６に仮係止される係止突起３６ｂと、を有している。
【００２１】
図１〜図５に示すように、電線カバー４０は、雌ハウジング２０の後部の筒体部２３から引き出された複数の電線５１に対して機械的な負荷が作用しないように保護するための部材であって、開口部を構成する一対の側壁４１，４１と、曲面を有する湾曲状の天井壁４２と、一対の側壁４１，４１の幅狭側の一端側を覆うハウジング当接壁４３と、を有していて、雌ハウジング２０の筒体部２３の後端側に設けられた組付部２８に装着されるように形成されている。
【００２２】
図２に示すように、電線カバー４０の側壁４１の下端には、スライドリブ４４を一体突出形成してあり、このスライドリブ４４が組付部２８の一対の突起片部２８ａ，２８ａと一対の起立片部２８ｂ，２８ｂ間にスライドして抜け止め自在に装着されるようになっている。
【００２３】
また、図２に示すように、電線カバー４０の側壁４１の下端側が雌ハウジング２０の筒体部２３の組付部２８の突起片部２８ａと起立片部２８ｂ間にスライドした後に、側壁４１の下端に一体形成された弾性ロック片４５のロック突起４５ｂが雌ハウジング２０の筒体部２３に形成された凹状の被ロック部（図示省略）に係止されるようになっている。この弾性ロック片４５は、長尺のロックアーム４５ａと、このロックアーム４ａの先端に一体突出形成されたロック突起４５ｂと、を有している。
【００２４】
また、図１〜図５に示すように、電線カバー４０の天井壁４２の開口の先端側には、束ねられてテープ巻きされた複数の電線５１を保持する電線保持部４７をＵ字状に一体突出形成してある。さらに、図４、図９に示すように、天井壁４２の電線保持部４７の後側には、レバー３０のレバーロック部３３に係止されるカバーロック部４８を有している。このカバーロック部４８は、天井壁４２に一体形成されて弾性変形するロックアーム４８ａの先端部に配置されている。
【００２５】
尚、図２〜図４に示すように、雌ハウジング２０の両側面には、レバー３０を電線カバー４０の前側或いは後側の両側からそれぞれ装着できるように、レバー３０の仮係止ロック部３６を仮係止するリブ状の仮係止部２６と、各仮係止部２６との仮係止状態が解除されたレバー３０の仮係止ロック部３６の係止突起３６ｂを収納する凹状のロック収納部２７とを、ボス穴２４を挟むように左右両側に一対形成してある。
【００２６】
また、図５及び図９に示すように、雄ハウジング１１に設けられた円柱状のカムボス１３の上端には、楕円鍔状の掛止片部１３ａを突設してある。そして、このカムボス１３の掛止片部１３ａがレバー３０のカム溝３５の一方の円弧部に突設されたガイドリブ３５ｂに掛かって移動することで、カムボス１３がカム溝３５から外れないようになっている。さらに、図１及び図９に示すように、レバー３０のアーム部３２の先端側には、薄肉で円弧状の一対の係合片部３２ａ，３２ａを突設してある。そして、レバー３０の仮係止ロック解除時に、雄ハウジング１１のカムボス１３の掛止片部１３ａがレバー３０のカム溝３５のガイドリブ３５ｂに掛止され、レバー３０の一対の係合片部３２ａ，３２ａが雌ハウジング２０の外套部２２の両側よりＬ字状に突設した一対の係止片部２２ｂ，２２ｂに係合されることで、雄ハウジング１１及びレバー３０が雌ハウジング２０側から外れないようになっている。
【００２７】
以上第１実施形態のレバー式コネクタ１０によれば、雌コネクタＢを組み付ける場合には、まず、図２に示すように、雌ハウジング２０のハウジング本体２１の端子収容室２１ａに電線５１を接続した雌端子５０を挿入する（端子挿入工程）。この際、雌ハウジング２０にレバー３０が組付いていない状態のため、端子挿入の作業性が良い。
【００２８】
次に、図３に示すように、端子収容室２１ａに雌端子５０が挿入された雌ハウジング２０に電線カバー４０を組付ける（カバー組付工程）。この際、雌ハウジング２０にレバー３０が組付いていない状態のため、カバー組付け作業性が良い。
【００２９】
次に、図４に示すように、雌ハウジング２０のボス穴２４にレバー３０のレバーボス３４を嵌め込んで、雌ハウジング２０にレバー３０を組付ける（レバー組付工程）。このように、雌ウジング２０にレバー３０を最後に組付けることで、雌端子５０の挿入作業とカバー３０の組付け性を向上させることができ、作業効率を上げることができる。そして、図１に示す組付け状態の雌コネクタＢと図５に示す雄ハウジング１１等からなる雄コネクタＡは、嵌合しない分離した状態で車両組付工場等へ出荷される。
【００３０】
また、図５に示すように、レバー式コネクタ１０の雄ハウジング１１と雌ハウジング２０の嵌合前の状態では、雌ハウジング２０のリブ状の仮係止部２６にレバー３０の仮係止ロック部３６の係止突起３６ｂが仮係止されている。この状態から、雄ハウジング１１のフード部１２を雌ハウジング２０のハウジング本体２１と外套部２２との間に嵌め込むと、図７に示すように、雄ハウジング１１のレバー仮係止解除リブ１４の先端１４ａ側がレバー３０の仮係止ロック部３６の係止突起３６ｂが突き当たって、仮係止ロック部３６のロックアーム３６ａが外側に撓むことで、レバー３０の仮係止ロック部３６の係止突起３６ｂと雌ハウジング２０のリブ状の仮係止部２６との仮係止状態が解除される。
【００３１】
そして、慣性の力で雄ハウジング１１のフード部１２が雌ハウジング２０のハウジング本体２１と外套部２２との間の奥に更に押し込まれると、図８に示すように、レバー３０の仮係止ロック部３６の係止突起３６ｂが雌ハウジング２０のロック収納部２７に落ち込む。よって、レバー３０は、復動操作方向（往動操作方向とは逆方向）には動かない状態になっている。その際、雄ハウジング１１のカムボス１３の掛止片部１３ａがレバー３０のカム溝３５のガイドリブ３５ｂに掛かっていて該カム溝３５からも外れることがないため、レバー３０のカム溝３５が雄ハウジング１１のカムボス１３から抜けることがなく、カムボス１３のカム溝３５に対する引き込みも容易にできる。
【００３２】
図１０は本発明の第２実施形態のレバー式コネクタの雌ハウジングに電線カバーとレバーを組み付けた状態を示す斜視図、図１１は雌ハウジングに電線カバーを組み付ける前の状態を示す斜視図、図１２は雌ハウジングに電線カバーを組み付けた状態を示す斜視図、図１３は雌ハウジングにレバーを組み付ける前の状態を示す斜視図、図１４はレバー式コネクタの嵌合前の状態を示す側面図、図１５はレバー式コネクタの嵌合状態を示す側面図である。
【００３３】
この第２実施形態のレバー式コネクタ１０′は、電線カバー４０の側壁４１に一対のガイドリブ４６，４６を形成した点が、前記第１実施形態のものとは異なる。尚、他の構成は、前記第１実施形態と同様であるため、同一構成部分には同一符号を付して詳細な説明は省略する。
【００３４】
即ち、図１１〜図１５に示すように、電線カバー４０の側壁４１には、レバー３０のレバーボス３４を雌ハウジング２０のボス穴２４まで案内する一対のガイドリブ４６，４６を一体突出形成してある。この一対のガイドリブ４６，４６は、天井壁４２側から中央にかけて徐々に狭くなって傾斜し、かつ、中央からスライドリブ４４側にかけて平行に延びるように形成されている。
【００３５】
そして、雌ハウジング２０のボス穴２４にレバー３０のレバーボス３４を嵌め込んで、雌ハウジング２０にレバー３０を組付けるレバー組付工程の際に、電線カバー４０の側壁４１に設けられた一対のガイドリブ４６，４６間にレバー３０のレバーボス３４が案内され、レバーボス３４が雌ハウジング２０に形成された突起物等に当たることなくボス穴２４に誘い込まれるため、レバー３０の組付け性が向上し、前記第１実施形態と同様に、ハ雌ウジング２０にレバー３０を最後に組付けることで、雌端子５０の挿入作業とカバー３０の組付け性を向上させることができ、作業効率を上げることができる。
【００３６】
尚、前記各実施形態によれば、レバーを電線カバーの前側から雌ハウジングに装着するようにしたが、レバーを電線カバーの後側から雌ハウジングに装着するようにしても良い。
【符号の説明】
【００３７】
１０，１０′  レバー式コネクタ
１１  雄ハウジング（相手側ハウジング）
１１ａ，１１ａ  両側面
１３  カムボス
２０  雌ハウジング（ハウジング）
２１ａ  端子収容室
２４  ボス穴
２８  組付部
３０  レバー
３１  操作部
３４  レバーボス
３５  カム溝
４０  電線カバー
４６  ガイドリブ
５０  雌端子（端子）
５１  電線
【図１】
2020194649.tif 000003
【図２】
2020194649.tif 000004
【図３】
2020194649.tif 000005
【図４】
2020194649.tif 000006
【図５】
2020194649.tif 000007
【図６】
2020194649.tif 000008
【図７】
2020194649.tif 000009
【図８】
2020194649.tif 000010
【図９】
2020194649.tif 000011
【図１０】
2020194649.tif 000012
【図１１】
2020194649.tif 000013
【図１２】
2020194649.tif 000014
【図１３】
2020194649.tif 000015
【図１４】
2020194649.tif 000016
【図１５】
2020194649.tif 000017
【図１６】
2020194649.tif 000018